(57)【要約】【課題】両面印刷の中断後にユーザの意向に応じた印刷を実行することが可能な印刷装置を提供する。【解決手段】両面印刷を中断した際、搬送路上に第１面のみ印刷済みの用紙が存在した場合に、継続印刷または再印刷の実行指示の入力を受け付ける。継続印刷の実行指示が入力された場合には、ＭＰトレイにセットされた用紙に対し未印刷の第２面のみの印刷を実行し、再印刷の実行指示が入力された場合には、印刷済みの第１面及び未印刷の第２面の印刷を実行する。これにより、ユーザは、片面のみ印刷済みの用紙を取り出した上で、その用紙を使用しての継続印刷を行うかあるいは別の用紙を使用しての再印刷を行うかを判断し、その意向に応じた印刷を行うことができる。【選択図】図３
2010260199.tif 000002
【特許請求の範囲】
【請求項１】
被記録媒体がセットされる供給部と、
前記供給部から供給され、搬送路に沿って搬送される被記録媒体の第１面に印刷した後、前記被記録媒体の第２面に印刷する両面印刷が可能な形成手段と、
両面印刷を中断した際、前記搬送路上に第１面のみ印刷済みの被記録媒体が存在した場合に、継続印刷及び再印刷のうち少なくとも一方の実行指示の入力を受け付け可能な受付手段と、
前記受付手段において継続印刷の実行指示が入力された場合に、前記形成手段により前記供給部の被記録媒体に対し前記印刷済みの第１面に対応する未印刷の第２面のみの印刷を行い、再印刷の実行指示が入力された場合に、前記供給部の被記録媒体に対し前記印刷済みの第１面及び前記未印刷の第２面の印刷を行う選択印刷処理を実行する制御手段と、
を備える印刷装置。
【請求項２】
請求項１に記載の印刷装置において、
前記選択印刷処理の実行可否を設定可能な設定手段を備え、
前記制御手段は、両面印刷を中断した際、前記搬送路上に第１面のみ印刷済みの被記録媒体が存在した場合において、前記設定手段により選択印刷処理の実行可が設定されている場合には、前記選択印刷処理を実行し、選択印刷処理の実行否が設定されている場合には、前記受付手段への実行指示の入力がない状態で前記供給部の被記録媒体に対し前記再印刷を行う非選択印刷処理を実行する。
【請求項３】
請求項１または請求項２に記載の印刷装置において、
前記供給部は、複数設けられており、
両面印刷を中断した際、前記搬送路上に第１面のみ印刷済みの被記録媒体が存在した場合に、前記複数の供給部のうちから前記搬送路から取り出した被記録媒体をセットすべき供給部を通知する第１通知手段を備え、
前記制御手段は、前記受付手段において継続印刷の実行指示が入力された場合に、前記第１通知手段により通知された供給部の被記録媒体に対して継続印刷を実行する。
【請求項４】
請求項１から請求項３のいずれか一項に記載の印刷装置において、
両面印刷を中断した際、前記搬送路上に第１面のみ印刷済みの被記録媒体が存在した場合に、前記供給部に対して被記録媒体をセットする向きを通知する第２通知手段を備え、
前記制御手段は、前記受付手段において継続印刷の実行指示が入力された場合に、前記第２通知手段により通知された向きに基づいて、前記供給部の被記録媒体に対して未印刷の第２面を印刷済みの第１面と対応する向きに印刷する。
【請求項５】
請求項１から請求項４のいずれか一項に記載の印刷装置において、
両面印刷を中断した際、前記搬送路上に第１面のみ印刷済みの被記録媒体が複数存在した場合に、前記搬送路から取り出した複数の被記録媒体を前記供給部上に重ねる順序を通知する第３通知手段を備え、
前記制御手段は、前記受付手段において継続印刷の実行指示が入力された場合に、前記第３通知手段により通知された順序に基づいて、供給部の複数の被記録媒体に対して印刷済みの第１面と対応する未印刷の第２面の印刷を行う。
【請求項６】
請求項１から請求項５のいずれか一項に記載の印刷装置において、
両面印刷を中断した際、前記搬送路上に第１面または第２面の印刷途中の被記録媒体が存在した場合に、前記印刷途中の被記録媒体の存在を第１面のみ印刷済みの被記録媒体が存在した場合とは区別して通知する第４通知手段を備える。
【請求項７】
請求項１から請求項６のいずれか一項に記載の印刷装置において、
前記制御手段は、複数の被記録媒体に対する一連の両面印刷を中断した際、前記受付手段において継続印刷の実行指示が入力された場合に、先に継続印刷を実行した後に残りの印刷を行う。
【発明の詳細な説明】
【技術分野】
【０００１】
本発明は、印刷装置に関し、特に両面印刷機能を備えた印刷装置に関する。
【背景技術】
【０００２】
従来より印刷装置として、印刷中にジャム等の異常が発生して印刷動作を中断した際に、ユーザがカバー等を開けて搬送路上に残った用紙を除去した後に、新しい用紙に対して再度印刷を行うものが知られている。また、両面印刷中に異常が発生し印刷動作を中断した際に、搬送路上に片面のみが印刷された用紙が存在した場合に、（その用紙を搬送路から除去させることなく）異常回復後にその用紙を搬送してもう一方の面に印刷を行うものも知られている（特許文献１参照）。
【先行技術文献】
【特許文献】
【０００３】
【特許文献１】特開平７−２８７４２５号公報
【発明の概要】
【発明が解決しようとする課題】
【０００４】
後者の印刷装置では、片面のみ印刷済みの用紙を再利用することができる。しかしながら、例えば印刷中断時に用紙にしわが付いた場合など、片面のみ印刷済みの用紙を再利用するのが望ましくない場合もあり、従来の印刷装置では、そうしたユーザの意向に応じた印刷を行うことが困難であった。
【０００５】
本発明は上記のような事情に基づいて完成されたものであって、両面印刷の中断後にユーザの意向に応じた印刷を実行することが可能な印刷装置を提供することを目的とする。
【課題を解決するための手段】
【０００６】
上記の目的を達成するための手段として、第１の発明に係る印刷装置は、被記録媒体がセットされる供給部と、前記供給部から供給され、搬送路に沿って搬送される被記録媒体の第１面に印刷した後、前記被記録媒体の第２面に印刷する両面印刷が可能な形成手段と、両面印刷を中断した際、前記搬送路上に第１面のみ印刷済みの被記録媒体が存在した場合に、継続印刷及び再印刷のうち少なくとも一方の実行指示の入力を受け付け可能な受付手段と、前記受付手段において継続印刷の実行指示が入力された場合に、前記形成手段により前記供給部の被記録媒体に対し前記印刷済みの第１面に対応する未印刷の第２面のみの印刷を行い、再印刷の実行指示が入力された場合に、前記供給部の被記録媒体に対し前記印刷済みの第１面及び前記未印刷の第２面の印刷を行う選択印刷処理を実行する制御手段と、を備える。
【０００７】
第１の発明によれば、両面印刷を中断した際、搬送路上に第１面のみ印刷済みの被記録媒体が存在した場合に、継続印刷または再印刷の実行指示の入力を受け付ける。継続印刷の実行指示が入力された場合には、供給部にセットされた被記録媒体に対し未印刷の第２面のみの印刷を実行し、再印刷の実行指示が入力された場合には、印刷済みの第１面及び未印刷の第２面の印刷を実行する。
【０００８】
この選択印刷処理により、ジャムの発生等のために両面印刷を中断した際には、ユーザが搬送路上に残った片面のみ印刷済みの被記録媒体を取り出し、その被記録媒体を供給部にセットして継続印刷の実行指示を入力することで、もう一方の面への印刷を行うことができる。また、例えば取り出した被記録媒体にしわが付いていた場合など、ユーザがその被記録媒体を再利用しての印刷が望ましくないと判断した場合には、再印刷の実行指示を入力することで、供給部の（取り出した被記録媒体とは別の）被記録媒体に対し印刷を実行することができる。即ち、ユーザは、片面のみ印刷済みの被記録媒体を取り出した上で、その被記録媒体を使用しての継続印刷を行うかあるいは別の被記録媒体を使用しての再印刷を行うかを判断し、その意向に応じた印刷を行うことができる。
【０００９】
第２の発明は、第１の発明において、前記選択印刷処理の実行可否を設定可能な設定手段を備え、前記制御手段は、両面印刷を中断した際、前記搬送路上に第１面のみ印刷済みの被記録媒体が存在した場合において、前記設定手段により選択印刷処理の実行可が設定されている場合には、前記選択印刷処理を実行し、選択印刷処理の実行否が設定されている場合には、前記受付手段への実行指示の入力がない状態で前記供給部の被記録媒体に対し前記再印刷を行う非選択印刷処理を実行する。
【００１０】
第２の発明によれば、選択印刷処理の実行可否を設定可能であり、実行否が設定された場合には、受付手段への実行指示の入力がない状態で、供給部の被記録媒体に対し再印刷を行う非選択印刷処理を実行する。ユーザが選択印刷処理の実行を望まない場合には、選択印刷処理の実行否を設定しておくことにより、ユーザによる実行指示の入力を待たずに再印刷を行うことができるため、処理を迅速に行うことができる。
【００１１】
第３の発明は、第１または第２の発明において、前記供給部は、複数設けられており、両面印刷を中断した際、前記搬送路上に第１面のみ印刷済みの被記録媒体が存在した場合に、前記複数の供給部のうちから前記搬送路から取り出した被記録媒体をセットすべき供給部を通知する第１通知手段を備え、前記制御手段は、前記受付手段において継続印刷の実行指示が入力された場合に、前記第１通知手段により通知された供給部の被記録媒体に対して継続印刷を実行する。
【００１２】
第３の発明によれば、供給部が複数設けられており、両面印刷を中断した際、搬送路上に第１面のみ印刷済みの被記録媒体が存在した場合に、複数の供給部のうちから搬送路から取り出した被記録媒体をセットすべき供給部を通知する。これにより、ユーザが搬送路から取り出した被記録媒体を用いての継続印刷を円滑に行うことができる。
【００１３】
第４の発明は、第１から第３のいずれか一つの発明において、両面印刷を中断した際、前記搬送路上に第１面のみ印刷済みの被記録媒体が存在した場合に、前記供給部に対して被記録媒体をセットする向きを通知する第２通知手段を備え、前記制御手段は、前記受付手段において継続印刷の実行指示が入力された場合に、前記第２通知手段により通知された向きに基づいて、前記供給部の被記録媒体に対して未印刷の第２面を印刷済みの第１面と対応する向きに印刷する。
【００１４】
第４の発明によれば、両面印刷を中断した際、搬送路上に第１面のみ印刷済みの被記録媒体が存在した場合に、供給部に対して被記録媒体をセットする向き（上下左右や表裏など）を通知する。これにより、ユーザが搬送路から取り出した被記録媒体を用いての継続印刷を円滑に行うことができる。
【００１５】
第５の発明は、第１から第４のいずれか一つの発明において、両面印刷を中断した際、前記搬送路上に第１面のみ印刷済みの被記録媒体が複数存在した場合に、前記搬送路から取り出した複数の被記録媒体を前記供給部上に重ねる順序を通知する第３通知手段を備え、前記制御手段は、前記受付手段において継続印刷の実行指示が入力された場合に、前記第３通知手段により通知された順序に基づいて、供給部の複数の被記録媒体に対して印刷済みの第１面と対応する未印刷の第２面の印刷を行う。
【００１６】
第５の発明によれば、両面印刷を中断した際、搬送路上に第１面のみ印刷済みの被記録媒体が複数存在した場合に、搬送路から取り出した複数の被記録媒体を供給部上に重ねる順序を通知する。これにより、ユーザが搬送路から取り出した複数の被記録媒体を用いての継続印刷を円滑に行うことができる。
【００１７】
第６の発明は、第１から第５のいずれか一つの発明において、両面印刷を中断した際、前記搬送路上に第１面または第２面の印刷途中の被記録媒体が存在した場合に、前記印刷途中の被記録媒体の存在を第１面のみ印刷済みの被記録媒体が存在した場合とは区別して通知する第４通知手段を備える。
【００１８】
第６の発明によれば、印刷途中の被記録媒体は、継続印刷に不適である可能性が高いため、第１面のみ印刷済みの被記録媒体が存在した場合とは区別して通知することで、ユーザが、例えば取り出した被記録媒体を破棄するなど、適切な対応をとることができる。
【００１９】
第７の発明は、第１から第６のいずれか一つの発明において、前記制御手段は、複数の被記録媒体に対する一連の両面印刷を中断した際、前記受付手段において継続印刷の実行指示が入力された場合に、先に継続印刷を実行した後に残りの印刷を行う。
【００２０】
第７の発明によれば、複数の被記録媒体に対する一連の両面印刷を中断した際、受付手段において継続印刷の実行指示が入力された場合に、先に継続印刷を実行した後に残りの印刷を行う。これにより、複数の被記録媒体に対する印刷の順序が印刷の中断のために変わることを防止できる。
【発明の効果】
【００２１】
本発明によれば、両面印刷を中断した際、搬送路上に第１面のみ印刷済みの被記録媒体が存在した場合に、継続印刷または再印刷の実行指示の入力を受け付ける。継続印刷の実行指示が入力された場合には、供給部にセットされた被記録媒体に対し未印刷の第２面のみの印刷を実行し、再印刷の実行指示が入力された場合には、印刷済みの第１面及び未印刷の第２面の印刷を実行する。
【００２２】
この選択印刷処理により、ジャムの発生等のために両面印刷を中断した際には、ユーザが搬送路上に残った片面のみ印刷済みの被記録媒体を取り出し、その被記録媒体を供給部にセットして継続印刷の実行指示を入力することで、もう一方の面への印刷を行うことができる。また、例えば取り出した被記録媒体にしわが付いていた場合など、ユーザがその被記録媒体を再利用しての印刷が望ましくないと判断した場合には、再印刷の実行指示を入力することで、供給部の（取り出した被記録媒体とは別の）被記録媒体に対し印刷を実行することができる。即ち、ユーザは、片面のみ印刷済みの被記録媒体を取り出した上で、その被記録媒体を使用しての継続印刷を行うかあるいは別の被記録媒体を使用しての再印刷を行うかを判断し、その意向に応じた印刷を行うことができる。
【図面の簡単な説明】
【００２３】
【図１】本発明の実施形態１における印刷装置の内部構成を示す概略図
【図２】印刷装置の電気的構成を概略的に示すブロック図
【図３】両面印刷処理を示すフローチャート
【図４】表示部に表示される表示画面の一例を示す図
【図５】実施形態２における表示部に表示される表示画面の一例を示す図
【発明を実施するための形態】
【００２４】
＜実施形態１＞
次に本発明の実施形態１について図１から図４を参照して説明する。
【００２５】
（印刷装置の内部構成）
図１は、本実施形態の印刷装置１の内部構成を示す概略図である。なお、以下の説明では、図１の左側を前方とする。
【００２６】
印刷装置１は、図１に示すように、装置本体２の底部に複数の用紙３（被記録媒体の一例）を積載可能な供給トレイ４（供給部の一例）を備えている。供給トレイ４に積載された用紙３は、給紙ローラ５により搬送路６に送り出され、レジストローラ７により画像形成部１０に搬送される。また、装置本体２の前面には、複数の用紙３を積載可能なＭＰ（Multi Purpose）トレイ８（供給部の一例）が設けられ、ＭＰトレイ８から送り出された用紙３も同様にレジストローラ７により画像形成部１０に搬送されるように構成されている。
【００２７】
画像形成部１０（形成手段の一例）は、公知の電子写真方式により画像形成を行うものであり、プロセス部１１及び定着部１２を有している。プロセス部１１は、露光部、感光体、現像部、転写部（いずれも図示せず）等を備えている。印刷時には、露光部が感光体の表面を露光して静電潜像を形成し、現像部がその静電潜像を現像してトナー像を形成し、さらに転写部がそのトナー像を用紙３上に転写して、定着部１２がそのトナー像を定着させる。
【００２８】
定着部１２の下流側には、正逆回転可能な反転ローラ１３が設けられている。片面印刷の際には、画像形成部１０において片面に画像が形成された状態の用紙３が反転ローラ１３により装置後部の排出路６Ａに送られ、排出路６Ａから装置本体２の上面に設けられた排出トレイ１６上に排出される。また、両面印刷の際には、画像形成部１０により片面に画像が形成された用紙３が、排出路６Ａに搬送された後、反転ローラ１３の逆回転によって再搬送路６Ｂに送られる。そして、その用紙３は、再搬送路６Ｂからレジストローラ７によって表裏が反転した状態で画像形成部１０に再度搬送され、そこでもう片方の面に画像が形成される。こうして、両面に印刷が行われた用紙３は、排出路６Ａを介して排出トレイ１６上に排出される。なお、以下の説明において、両面印刷時に搬送される用紙３の先に印刷される面を第１面、後に印刷される面を第２面ともいう。
【００２９】
また、装置本体２の外面には、前面カバー、後面カバー、上面カバー（いずれも図示せず）など、開閉可能な複数のカバーが設けられており、ジャム処理の際には、いずれかのカバーを開放して搬送路６内に残された用紙３を取り出すことができるように構成されている。
【００３０】
（印刷装置の電気的構成）
図２は、印刷装置１の電気的構成を概略的に示すブロック図である。
印刷装置１は、同図に示すように、ＣＰＵ４０、ＲＯＭ４１、ＲＡＭ４２、ＮＶＲＡＭ（不揮発性メモリ）４３、ネットワークインターフェイス４４を備えている。
【００３１】
ＲＯＭ４１には、後述する両面印刷処理など、印刷装置１の各種動作を実行するためのプログラムが記憶されており、ＣＰＵ４０（制御手段の一例）は、ＲＯＭ４１から読み出したプログラムに従って、その処理結果をＲＡＭ４２またはＮＶＲＡＭ４３に記憶させながら各部の制御を行う。ネットワークインターフェイス４４は、通信回線を介して外部のコンピュータ（図示せず）等に接続され、これにより相互のデータ通信が可能となっている。
【００３２】
また、印刷装置１は、表示部４５、操作部４６を備えている。表示部４５（第１通知手段、第２通知手段、第３通知手段、第４通知手段の一例）は、タッチパネルやランプ等を備え、各種の設定画面や装置の動作状態等を表示することが可能である。操作部４６（受付手段の一例）は、前述のタッチパネルや複数のボタンを備え、ユーザによる各種の指示の入力を受け付けることが可能である。さらに印刷装置１は、各カバーの開閉状態を検知する複数のカバーセンサ４７、搬送路６上の各所に配置され用紙３の有無を検知する複数の用紙センサ４８などを備えている。
【００３３】
（両面印刷処理）
図３は、両面印刷処理を示すフローチャートであり、図４は、表示部４５に表示される表示画面Ｍ１の一例を示している。
この両面印刷処理は、外部のコンピュータ等から送信された両面印刷の印刷要求をネットワークインターフェイス４４を介して受信したときに実行される。
【００３４】
ＣＰＵ４０は、図３に示す両面印刷処理において、まず供給トレイ４から一枚の用紙３を送り出し、印刷を開始する（Ｓ１０１）。なお、本実施形態の両面印刷処理では、複数枚の用紙３に印刷を行う場合、１枚の用紙３を供給トレイ４から送り出し、その用紙３の両面への印刷が完了し、用紙３を排出した後に次の用紙３を送り出す。ＣＰＵ４０は、印刷動作中に定期的にジャムの発生を監視する（Ｓ１０２）。
【００３５】
例えば、いずれかの用紙センサ４８により所定の期間内に搬送中の用紙３が検知されないときには、紙詰まりによるジャムが発生したと判断する。また、印刷動作中にカバーセンサ４７によりいずれかのカバーが開放されたことが検知された場合や、その他の異常が発生した場合にもジャムが発生したと判断する。ジャムが発生せず（Ｓ１０２：Ｎｏ）に、印刷要求に基づく全ての印刷が終了した場合（Ｓ１０３：Ｙｅｓ）には、この両面印刷処理を終了する。
【００３６】
また、ＣＰＵ４０は、印刷動作中にジャムが発生した場合（Ｓ１０２：Ｙｅｓ）には、印刷動作及び用紙３の搬送を停止する（Ｓ１０４）。続いて、搬送路６上に反転途中の用紙３、即ち、第１面の印刷が完了し（定着部１２を通過し）、反転されて画像形成部１０に再度到達する前の用紙３が存在するかを判断する（Ｓ１０５）。反転途中の用紙３が存在しない場合（Ｓ１０５：Ｎｏ）には、第１面若しくは第２面の印刷途中の用紙３、即ち、画像形成部１０に到達してから定着部１２を通過する前の状態の用紙３が存在するかを判断する（Ｓ１０６）。
【００３７】
印刷途中の用紙３が存在しない場合（Ｓ１０６：Ｎｏ）、即ち、搬送路６上に供給トレイ４から送り出されて画像形成部１０に到達する前の用紙３、若しくは両面に印刷され定着部１２を通過した後の用紙３が存在する場合には、ジャムが発生した旨、及び搬送路６上の用紙３を取り除くべき旨をユーザに通知する（Ｓ１０７）。ここでは、例えば、表示部４５に「ジャム発生：前面カバーを開けて紙を取り出して下さい。」のように、搬送路６上の用紙３の位置や、用紙３を取り出すためのカバーの位置など、ユーザがジャムを解除するために有用な情報を示すメッセージを表示させる。
【００３８】
また、搬送路６上に印刷途中の用紙３が存在した場合（Ｓ１０６：Ｙｅｓ）には、ジャムが発生した旨、装置内の用紙３を取り除くべき旨と、取り除いた用紙３が未定着状態である旨とをユーザに通知する（Ｓ１０８）。ここでは、取り出した印刷途中の用紙３は、未定着状態のトナーが付着している可能性が高いため、後述する継続印刷に適していない旨、若しくは再利用することなく破棄すべき旨のメッセージを表示部４５に表示しても良い。
【００３９】
ＣＰＵ４０は、Ｓ１０７またはＳ１０８にて、用紙３を取り除くべき旨等を通知した後、ジャム状態が解除されるのを待機する（Ｓ１０９）。ここでは、例えば、カバーが開放された後、閉鎖されたことをカバーセンサ４７により検知した場合や、あるいは搬送路６上の用紙３が除去されたことを用紙センサ４８により検知した場合に、ジャムが解除されたと判断する。また、ユーザが操作部４６によりジャムの解除が完了した旨を入力したことに基づいてジャムが解除されたと判断しても良い。
【００４０】
ジャム状態が解除されると（Ｓ１０９：Ｙｅｓ）、ＣＰＵ４０は、供給トレイ４から用紙３を送り出して再印刷を開始し（Ｓ１１０）、Ｓ１０２に戻る。この再印刷では、最初に、搬送路６上から取り除かれた用紙３に印刷されたページの画像、若しくは印刷されるはずであったページの画像を、供給トレイ４から送り出された用紙３の各面に印刷する。その後、残りの印刷ページが存在する場合には、続けて供給トレイ４から送り出された用紙３に対して印刷を行う。
【００４１】
また、ＣＰＵ４０は、Ｓ１０５にて、搬送路６上に反転途中の用紙３、即ち第１面のみ印刷済みの用紙３が存在した場合（Ｓ１０５：Ｙｅｓ）には、選択印刷を実行可能な設定になっているかを判断する（Ｓ１１１）。ここで選択印刷とは、後述するように、ユーザの選択により継続印刷と再印刷とのいずれかの印刷を実行する処理である。なお、継続印刷とは、ジャム発生時に装置から取り出した片面のみ印刷済みの用紙３を使用して、もう一方の面に印刷を行うための処理である。ＣＰＵ４０は、事前にユーザの指示に従って設定プログラムを実行することができ、その設定プログラムにより操作部４６からの入力に基づいて選択印刷の実行可否を示す設定値をＮＶＲＡＭ４３に記憶させる。
【００４２】
ＣＰＵ４０は、Ｓ１１１において、ＮＶＲＡＭ４３に記憶された設定値を調べ、選択印刷の実行否が設定されている場合（Ｓ１１１：Ｎｏ）には、Ｓ１０７に進んで、用紙３を除去すべき旨等の通知を行う。この場合は、既述のようにジャム状態が解除された後（Ｓ１０９：Ｙｅｓ）に、再印刷が行われる（１１０）。即ち、供給トレイ４から供給される（新しい）用紙３に対して、取り出した用紙３の第１面に印刷済みのページの画像と、第２面に印刷するはずであったページの画像とが印刷される。従って、この場合には、ユーザが再印刷の指示を行うことなく再印刷が実行される。
【００４３】
また、選択印刷の実行可が設定されている場合（Ｓ１１１：Ｙｅｓ）には、例えば表示部４５に図４に示すような表示画面Ｍ１を表示させる（Ｓ１１２）。この表示画面Ｍ１では、ジャムが発生した旨、搬送路６上の用紙３を取り除くべき旨、及び用紙３を取り出すためのカバーの位置を示すメッセージが表示される。
【００４４】
また、表示画面Ｍ１では、継続印刷を実行する場合において、取り出した用紙３をトレイにセットする方法とが、メッセージと指示図５０とによって示されている。指示図５０では、取り出した（片面のみ印刷済みの）用紙３を（供給トレイ４でなく）ＭＰトレイ８にセットすること、用紙３の印刷済みの面を下向きにしてセットすること、用紙３をＭＰトレイ８の引き込み方向に対して縦向きにセットすることが示されている。
【００４５】
さらに、表示画面Ｍ１には、ユーザが継続印刷を実行するか、再印刷を実行するかを選択し、その実行指示を入力するための選択肢５１，５２が設けられている。
【００４６】
続いて、ＣＰＵ４０は、ジャム状態が解除されたか（搬送路６上の用紙３が取り除かれたか）を判断し（Ｓ１１３）、ジャム状態が解除され（Ｓ１１３：Ｙｅｓ）、操作部４６から継続印刷の実行指示が入力された場合（Ｓ１１４：Ｙｅｓ）には、ＭＰトレイ８にセットされた用紙３を送り出し、継続印刷の実行を開始し（Ｓ１１５）、Ｓ１０２に戻る。この継続印刷では、取り出した用紙３の第２面に印刷されるはずであったページの画像が、ＭＰトレイ８から送り出された用紙３に印刷される。
【００４７】
即ち、ユーザが搬送路６から第１面のみ印刷済みの用紙３を取り出した後、その用紙３をＭＰトレイ８にセットして、継続印刷の実行指示を入力すると、その用紙３の第２面に継続して印刷が行われる。ここで、ユーザが表示画面Ｍ１の指示に従って、取り出した用紙３をＭＰトレイ８にセットすることで、用紙３の正しい面に正しい向きで第２面の画像が印刷される。
ＣＰＵ４０は、ＭＰトレイ８の用紙３に印刷を行った後、残りの印刷ページが存在する場合には、続けて供給トレイ４から送り出された用紙３に対して印刷を行う。
【００４８】
また、ユーザが表示画面Ｍ１において再印刷の実行指示を入力した場合（Ｓ１１４：Ｙｅｓ）には、Ｓ１１０に進み、供給トレイ４から送り出した（新しい）用紙３に対して再印刷を行う。即ち、ユーザが搬送路６から用紙３を取り出したときに、用紙３にしわがよっている等の事情で、継続印刷が望ましくないと判断した場合には、継続印刷を行わずに再印刷を実行させることができる。
【００４９】
（本実施形態の効果）
以上のように本実施形態によれば、両面印刷を中断した際、搬送路６上に第１面のみ印刷済みの用紙３が存在した場合に、継続印刷または再印刷の実行指示の入力を受け付ける。継続印刷の実行指示が入力された場合には、ＭＰトレイ８にセットされた用紙３に対し未印刷の第２面のみの印刷を実行し、再印刷の実行指示が入力された場合には、印刷済みの第１面及び未印刷の第２面の印刷を実行する。
【００５０】
この選択印刷処理によって、ジャムの発生等のために両面印刷を中断した際には、ユーザが搬送路６上に残った片面のみ印刷済みの用紙３を取り出し、その用紙３をＭＰトレイ８にセットして継続印刷の実行指示を入力することで、もう一方の面への印刷を行うことができる。また、例えば取り出した用紙３にしわが付いていた場合など、ユーザがその用紙３を再利用しての印刷が望ましくないと判断した場合には、再印刷の実行指示を入力することで、供給トレイ４の（取り出した用紙３とは別の）用紙３に対し印刷を実行することができる。即ち、ユーザは、片面のみ印刷済みの用紙３を取り出した上で、その用紙３を使用しての継続印刷を行うかあるいは別の用紙３を使用しての再印刷を行うかを判断し、その意向に応じた印刷を行うことができる。
【００５１】
また、選択印刷処理の実行可否を設定可能であり、実行否が設定された場合には、操作部４６への実行指示の入力がない状態で、供給トレイ４の用紙３に対し再印刷を行う非選択印刷処理を実行する。ユーザが選択印刷処理の実行を望まない場合には、選択印刷処理の実行否を設定しておくことにより、ユーザによる実行指示の入力を待たずに再印刷を行うことができるため、処理を迅速に行うことができる。
【００５２】
また、画像形成部１０に用紙３を供給する供給部（４，８）が複数設けられており、両面印刷を中断した際、搬送路６上に第１面のみ印刷済みの用紙３が存在した場合に、複数の供給部（４，８）のうちから搬送路６より取り出した用紙３をセットすべき供給部（４，８）を通知する。これにより、ユーザが搬送路６から取り出した用紙３を用いての継続印刷を円滑に行うことができる。
【００５３】
また、両面印刷を中断した際、搬送路６上に第１面のみ印刷済みの用紙３が存在した場合に、ＭＰトレイ８に対して用紙３をセットする向き（上下左右や表裏など）を通知する。これにより、ユーザが搬送路６から取り出した用紙３を用いての継続印刷を円滑に行うことができる。
【００５４】
また、印刷途中の用紙３は、継続印刷に不適である可能性が高いため、第１面のみ印刷済みの用紙３が存在した場合とは区別して通知することで、ユーザが、例えば取り出した用紙３を破棄するなど、適切な対応をとることができる。
【００５５】
また、複数の用紙３に対する一連の両面印刷を中断した際、操作部４６において継続印刷の実行指示が入力された場合に、先に継続印刷を実行した後に残りの印刷を行う。これにより、複数の用紙３に対する印刷の順序が印刷の中断のために変わることを防止できる。
【００５６】
＜実施形態２＞
次に本発明の実施形態２について図５を参照して説明する。図５は、表示部４５に表示される表示画面Ｍ２の一例を示している。
【００５７】
上記実施形態では、両面印刷中のジャム発生時に、搬送路６上に用紙３が１枚のみ残されるものを示したが、本実施形態では、搬送路６上に複数枚の用紙３が残される可能性がある場合の動作例を示す。なお、本実施形態の印刷装置１の概略構成は、実施形態１と同様とする。
【００５８】
ＣＰＵ４０は、両面印刷処理中にジャムが発生した場合に、搬送路６上の各用紙３の状態（位置）を調べ、各用紙３についてその状態に応じて、用紙３の位置や、未定着状態である旨などの通知を行う。図５には、片面のみ印刷済みの用紙３（反転途中の用紙３）が２枚存在した場合の表示画面Ｍ２の例を示す。
【００５９】
この表示画面Ｍ２では、２枚の用紙３を取り除くべき旨や、２枚の用紙３を取り出すためのカバーの位置などを示すメッセージが示されている。さらに、表示画面Ｍ２には、継続印刷を実行する場合において、取り出した用紙３をトレイ上に重ねる順序が、メッセージと指示図５５とによって示されている。また、表示画面Ｍ２には、ユーザが継続印刷を実行するか、再印刷を実行するかを選択し、その実行指示を入力するための選択肢５６，５７が設けられている。
【００６０】
そして、ＣＰＵ４０は、表示画面Ｍ２において、継続印刷の実行指示が操作部４６から入力された場合には、ＭＰトレイ８から２枚の用紙３を１枚ずつ送り出し、各用紙３の第２面に印刷を行う。ここで、ユーザが２枚の用紙３を表示画面Ｍ２で指示された順序でＭＰトレイ８上に重ねてセットすることで、２枚の用紙３の第２面には、それぞれ第１面に印刷済みのページの画像に対応するページの画像が印刷される。
【００６１】
このように本実施形態によれば、両面印刷を中断した際、搬送路６上に第１面のみ印刷済みの用紙３が複数存在した場合に、搬送路６から取り出した複数の用紙３をＭＰトレイ８上に重ねる順序を通知する。これにより、ユーザが搬送路６から取り出した複数の用紙３を用いての継続印刷を円滑に行うことができる。
【００６２】
＜他の実施形態＞
本発明は上記記述及び図面によって説明した実施形態に限定されるものではなく、例えば次のような実施形態も本発明の技術的範囲に含まれる。
（１）上記実施形態では、本発明を直接転写方式の印刷装置に適用した例を示したが、これに限らず、本発明は、例えば中間転写方式や、４サイクル方式、若しくはインクジェット方式など他の方式の印刷装置にも適用することができる。
【００６３】
（２）上記実施形態では、継続印刷または再印刷のいずれかを実行させる指示をユーザが操作部から入力するものを示したが、本発明によれば、操作部から所定時間入力がないことをもって、継続印刷または再印刷の実行指示が入力されたとみなし、その印刷を実行しても良い。また、例えば、ＭＰトレイの用紙の有無を検知するトレイセンサを設け、トレイセンサにより用紙が検知されたことをもって、継続印刷の実行指示の入力とみなして継続印刷を実行し、また用紙が所定時間検知されないことをもって、再印刷の実行指示とみなして再印刷を実行するようにしても良い。
【００６４】
（３）ユーザに継続印刷及び再印刷の実行を選択させる際に、ユーザのキャンセル指示の入力により印刷処理を終了するにしても良い。
（４）継続印刷の際に、再印刷時と同一の供給部から供給される用紙に印刷を行っても良い。また、継続印刷の際に、第１面のみ印刷済みの用紙を再利用せず、供給部から供給される新しい用紙に対し未印刷の第２面のみを印刷するようにしても良い。
【００６５】
（５）ユーザに対し各種の情報を通知する形態は、適宜変更することができる。例えば、ディスプレイに文字や図形等を表示することにより情報を通知しても良く、あるいは所定のランプを点灯することによって通知しても良い。さらに、音声によって情報を通知しても良く、ネットワークインターフェイス４４を介してコンピュータ等にそのような情報を通知するための信号を送信しても良い。
【００６６】
（６）上記実施形態では、供給部を２つ備えるものを示したが、本発明によれば、供給部は１つのみでも良く、３つ以上でも良い。
【符号の説明】
【００６７】
１…印刷装置
３…用紙（被記録媒体）
４…供給トレイ（供給部）
６…搬送路
８…ＭＰトレイ（供給部）
１０…画像形成部（形成手段）
４０…ＣＰＵ（制御手段）
４５…表示部（第１通知手段、第２通知手段、第３通知手段、第４通知手段）
４６…操作部（受付手段）
【図１】
2010260199.tif 000003
【図２】
2010260199.tif 000004
【図３】
2010260199.tif 000005
【図４】
2010260199.tif 000006
【図５】
2010260199.tif 000007